(57)【要約】【課題】   透明電光板のＬＥＤモジュールの点滅制御信号を無線で制御して、ＬＥＤモジュールへの点滅制御信号の印加を行う配線ラインを排除することのできる無線制御型透明電光装置を提供する。【解決手段】  本発明の一実施形態による無線制御型透明電光装置は、ＬＥＤチップと、無線通信で点滅制御信号を受信して前記点滅制御信号に基づいて前記ＬＥＤチップの点滅を制御する受信制御モジュールと、が配設された複数のＬＥＤモジュールと、前記複数のＬＥＤモジュールが所定のピッチ間隔で隔設された透明電光板と、を備えることが好ましい。これにより、本発明は、無線通信で透明電光板のＬＥＤモジュールの点滅制御信号を制御して、ＬＥＤモジュールへの点滅制御信号の印加を行う配線ラインを排除することができる。【選択図】図２
2019028423.tif 000002
【特許請求の範囲】
【請求項１】
ＬＥＤチップと、無線通信で点滅制御信号を受信して前記点滅制御信号に基づいて前記ＬＥＤチップの点滅を制御する受信制御モジュールと、が配設された複数のＬＥＤモジュールと、
前記複数のＬＥＤモジュールが所定のピッチ間隔で隔設された透明電光板と、を備えることを特徴とする無線制御型透明電光装置。
【請求項２】
前記ＬＥＤモジュールは、
入力された直流電圧を低い直流電圧に変圧して、前記ＬＥＤチップに電源を印加するＤＣ−ＤＣコンバーターを更に備えて、前記複数のＬＥＤモジュールへの均一な直流電圧を与えることを特徴とする請求項１に記載の無線制御型透明電光装置。
【請求項３】
前記受信制御モジュールと無線通信される送信制御部を更に備え、
前記送信制御部は、外部からの映像信号を入力されて、前記映像信号を前記点滅制御信号に変換して、前記受信制御モジュールに無線送信することを特徴とする請求項１に記載の無線制御型透明電光装置。
【請求項４】
前記送信制御部は、前記透明電光板を複数の単位区域に区分けして、前記単位区域別に前記点滅制御信号を個別的に送信する複数の送信モジュールを備えることを特徴とする請求項３に記載の無線制御型透明電光装置。
【請求項５】
前記透明電光板は、前記複数のＬＥＤモジュールが所定のピッチ間隔でマトリックス状に配列されて形成され、
前記複数のＬＥＤモジュールの横方向に、前記複数のＬＥＤモジュールの負極を接続する複数の第１の電源ラインと、
前記複数のＬＥＤモジュールの縦方向に、前記複数のＬＥＤモジュールの正極を接続する複数の第２の電源ラインと、
を備え、
前記点滅制御信号による前記受信制御モジュールの前記ＬＥＤチップへの電源のＯＮ／ＯＦＦ制御により、前記ＬＥＤモジュールは個別的に点滅されることを特徴とする請求項１に記載の無線制御型透明電光装置。
【請求項６】
前記ＬＥＤチップは、ＲＥＤチップ、ＧＲＥＥＮチップ、又はＢＬＵＥチップのうちの少なくともいずれか一つであることを特徴とする請求項１に記載の無線制御型透明電光装置。
【請求項７】
前記ＬＥＤチップは、前記点滅制御信号に基づいて点滅しながら、前記透明電光板の一つのピクセルをなすことを特徴とする請求項１に記載の無線制御型透明電光装置。
【発明の詳細な説明】
【技術分野】
【０００１】
本発明は、無線制御型透明電光装置に係り、更に詳しくは、透明電光板のＬＥＤモジュールの点滅制御信号を無線で制御して、ＬＥＤモジュールへの点滅制御信号の印加を行う配線ラインを排除することのできる無線制御型透明電光装置に関する。
【背景技術】
【０００２】
一般に、室外で用いられる電光板としては、発光ダイオード（ＬＥＤ：Ｌｉｇｈｔ Ｅｍｉｔｔｉｎｇ Ｄｉｏｄｅ、以下、「ＬＥＤ」と称する。）を用いる電光板が汎用されている。ＬＥＤを用いるこのような電光板は、ＬＥＤが低電力で駆動され、その寿命が長いという点で屋外の大型電光板や室内の小型電光板など様々な分野において用いられている。
【０００３】
また、ＬＥＤは、透明電光板にも用いられている。ＬＥＤを用いた透明電光板は、様々な文字又はグラフィックが実現可能なように透明板に３チップＬＥＤがドットマトリックスの構造で配線されるようにパターン設計される。
【０００４】
図１に示すように、大韓民国登録特許第０８９３０８５号による透明電光装置は、透明電光板１０に透明電極１４を配線し、軟性回路基板２０に連結して透明電光板１０及び制御ボード３０を接合している。
【０００５】
図１に示す透明電光装置は、たとえ軟性回路基板２０を用いるとしても、ＬＥＤチップ１３のＲ／Ｇ／Ｂ ＬＥＤに信号を印加するためには軟性回路基板２０が接続配線２１に接続される信号ラインが複雑にパターニングされた配線構造を有し、軟性回路基板２０そのものも複雑な接続配線２１がパターニングされる。
【０００６】
ＩＴＯ透明電極層を有する透明板の上に１６Ｘ１６個のＬＥＤによりドットマトリックス配線として実現する場合、全体のＬＥＤの数は２５６個であり、フルカラー（多色）３チップＬＥＤは４個の電極を有するため、透明板から出るワイヤーの総数は２５６個Ｘ４パターン＝１,０２４個であり、且つ、モノカラー（単色）１チップＬＥＤは２つの電極を有するため、透明板から出るワイヤーの総数は２５６個Ｘ２パターン＝５１２個になって、これを現実的に半田付けなどで一々に実現するには、作業性や製品の品質的な面からみて好ましくないだけではなく、製品が全体的に肥大化されて設置及びメンテナンスが行い難いという問題がある。なお、設置による長い施工期間及び多大なコストがかかるだけではなく、事後的な側面からみて、専門家ではなければメンテナンスが行い難く、拡張性からみても良くない。
【先行技術文献】
【特許文献】
【０００７】
【特許文献１】大韓民国登録特許第０８９３０８５号
【発明の概要】
【発明が解決しようとする課題】
【０００８】
本発明は、透明電光板のＬＥＤモジュールの点滅制御信号を無線で制御して、ＬＥＤモジュールへの点滅制御信号の印加を行う配線ラインを排除することのできる無線制御型透明電光装置を提供することを目的とする。
【課題を解決するための手段】
【０００９】
本発明の一実施形態による無線制御型透明電光装置は、ＬＥＤチップと、無線通信で点滅制御信号を受信して前記点滅制御信号に基づいて前記ＬＥＤチップの点滅を制御する受信制御モジュールと、が配設された複数のＬＥＤモジュールと、前記複数のＬＥＤモジュールが所定のピッチ間隔で隔設された透明電光板と、を備えることを特徴とする。
【００１０】
本発明の一実施形態において、ＬＥＤモジュールは、入力された直流電圧を低い直流電圧に変圧して、ＬＥＤチップに電源を印加するＤＣ−ＤＣコンバーターを更に備えて、複数のＬＥＤモジュールへの均一な直流電圧を与えることが好ましい。
【００１１】
本発明の一実施形態において、無線制御型透明電光装置は、受信制御モジュールと無線通信される送信制御部を更に備え、送信制御部は、外部からの映像信号を入力されて、映像信号を点滅制御信号に変換して、受信制御モジュールに無線送信することが好ましい。
【００１２】
本発明の一実施形態において、 送信制御部は、透明電光板を複数の単位区域に区分けして、単位区域別に点滅制御信号を個別的に送信する複数の送信モジュールを備えることが好ましい。
【００１３】
本発明の一実施形態において、透明電光板は、複数のＬＥＤモジュールが所定のピッチ間隔でマトリックス状に配列されて形成され、複数のＬＥＤモジュールの横方向に、複数のＬＥＤモジュールの負極を接続する複数の第１の電源ラインと、複数のＬＥＤモジュールの縦方向に、複数のＬＥＤモジュールの正極を接続する複数の第２の電源ラインと、を備え、点滅制御信号による受信制御モジュールのＬＥＤチップへの電源のＯＮ／ＯＦＦ制御により、ＬＥＤモジュールは個別的に点滅されることが好ましい。
【００１４】
本発明の一実施形態において、ＬＥＤチップは、ＲＥＤチップ、ＧＲＥＥＮチップ、又はＢＬＵＥチップのうちの少なくともいずれか一つであることが好ましい。
【００１５】
本発明の一実施形態において、ＬＥＤチップは、点滅制御信号に基づいて点滅しながら、透明電光板の一つのピクセルをなすことが好ましい。
【発明の効果】
【００１６】
本発明は、無線通信で透明電光板のＬＥＤモジュールの点滅制御信号を制御して、ＬＥＤモジュールへの点滅制御信号の印加を行う配線ラインを排除することができる。
【００１７】
すなわち、本発明は、ＬＥＤモジュールに配設された受信制御モジュールを用いて無線で点滅制御信号を受信してＬＥＤチップの点滅が制御されることにより、 従来の技術と比較して、ＬＥＤチップをなすＲＥＤチップ、ＧＲＥＥＮチップ及びＢＬＵＥチップにそれぞれ接続される複雑な配線ラインが除去され、その結果、透明電光板におけるＬＥＤモジュール同士のピッチ間隔を狭めることができる。これにより、本発明は、従来と同じ規格を有する透明電光板に、より多くのＬＥＤモジュールを設けて透明電光板の全体の解像度を高めることができる。
【００１８】
また、本発明は、従来の技術と比較して、ＬＥＤチップをなすＲＥＤチップ、ＧＲＥＥＮチップ及びＢＬＵＥチップにそれぞれ接続される複雑な配線ラインが除去されることにより、複雑な配線構造による点滅制御信号の干渉を解消することができる。
【００１９】
更に、本発明は、透明電光板を複数の単位区域に区分けし、単位区域別にＬＥＤモジュールが送信モジュールと個別的に無線通信されながら点滅制御信号を受信して、早い応答速度にて点滅制御信号による映像をＬＥＤ透明電光板にディスプレイすることができる。
【図面の簡単な説明】
【００２０】
【図１】従来の技術による透明電光装置の回路図である。
【図２】本発明の一実施形態による無線制御型透明電光装置の概略構成図である。
【図３】本発明の一実施形態によるＬＥＤモジュールの概略構成図である。
【図４】本発明の一実施形態において、複数の単位区域に区分けされた透明電光板が複数の送信モジュールと無線通信されることを示す概略構成図である。
【発明を実施するための形態】
【００２１】
以下、添付図面に基づいて、本発明の好適な実施形態による無線制御型透明電光装置について説明する。
【００２２】
図２に示すように、本発明の一実施形態による無線制御型透明電光装置１００は、透明電光板１１０及び送信制御部１５０を備える。
【００２３】
透明電光板１１０は、電源が供給されるときに発光する複数のＬＥＤモジュール１２０を備える。透明電光板１１０の材質としては、透明なガラス、透明な強化フィルム、ポリカーボネート（ＰＣ：Ｐｏｌｙ Ｃａｒｂｏｎａｔｅ）、アクリル又は透明なフレキシブルプリント配線板（ＦＰＣＢ）が使用可能である。
【００２４】
透明電光板１１０には、複数のＬＥＤモジュール１２０と電気的に接続される透明電極（図示せず）が設けられる。透明電極は、酸化インジウムスズ（ＩＴＯ：Ｉｎｄｉｕｍ Ｔｉｎ Ｏｘｉｄｅ）、酸化インジウム亜鉛（ＩＺＯ：Ｉｎｄｉｕｍ Ｚｉｎｃ Ｏｘｉｄｅ）、液状ポリマーのうちのいずれか一つの材質が透明電光板１１０に塗布（Ｃｏａｔｉｎｇ）されて形成される。
【００２５】
透明電光板１１０には、複数のＬＥＤモジュール１２０を保護するためのカバー用透明板（図示せず）が更に設けられてもよい。カバー用透明板は、透明電光板１１０と同様に、透明な材質により製作されることが好ましい。
【００２６】
透明電光板１１０とカバー用透明板（図示せず）との間には充填剤が更に設けられてもよい。ここで、充填剤は、透明電光板１１０とカバー用透明板との間に充填されて、複数のＬＥＤモジュール１２０などの損傷を防ぎ、透明電光板１１０及びカバー用透明板を所定の間隔だけ離間した状態で貼り合わせる。充填剤としては、ＰＶＢフィルム、ＥＶＡフィルム、及び樹脂（Ｒｅｓｉｎ）類の液体充填剤のうちのいずれか一種が使用可能である。
【００２７】
本発明は、透明電極で回路パターンを形成して透明電光板１１０の厚さを大幅に低減することができ、透明な材質の透明板及び透明電極などを用いるので、透明性を有し、見栄えがよくなる。
【００２８】
複数のＬＥＤモジュール１２０は、無線通信で送信制御部１５０から点滅制御信号を受信して、点滅制御信号に基づいて個別的に点滅される。複数のＬＥＤモジュール１２０は、透明電光板１１０に設けられた複数の透明電極（図示せず）と電気的に接続可能なように、伝導性接着剤により透明電光板１１０に貼り付けられる。
【００２９】
伝導性接着剤としては、例えば、スクリーン印刷に適したシルバーコンダクター（Ｓｉｌｖｅｒ ｃｏｎｄｕｃｔｏｒ）又はシルバーペースト（Ｓｉｌｖｅｒ ｐａｓｔｅ）を用いる。ここで、シルバーコンダクター又はシルバーペーストは、適当な粘度（１００〜１５０ｋｃｐｓ）を有し、ガラスとの接着力に優れている他、面抵抗性が低いもの（例えば、５０ｍΩ／ｓｑ）を用いることが好ましい。本発明によるシルバーペーストは、例えば、粘度が１００〜１５０ｋｃｐｓであり、伝導性エポキシ（Ｃｏｎｄｕｃｔｉｖｅ Ｅｐｏｘｙ）ボンド系が使用可能である。これにより、ラミネート工程などを用いた充填剤の充填に際して接着力が保たれる。
【００３０】
図３に示すように、ＬＥＤモジュール１２０は、ＤＣ−ＤＣコンバーター１２１、受信制御モジュール１２３及びＬＥＤチップ１２５を備える。
【００３１】
ＤＣ−ＤＣコンバーター１２１は、入力された直流電圧よりも低い直流電圧に変圧する。例えば、ＤＣ−ＤＣコンバーター１２１は、１２Ｖの入力電圧を３Ｖの出力電圧に減圧して、ＬＥＤチップ１２５に３Ｖの直流電圧を印加する。
【００３２】
本発明は、電源が印加される過程で発生する電力損失を考慮して、ＤＣ−ＤＣコンバーター１２１を用いてＬＥＤチップ１２５が低電圧で駆動されるように設計されて、たとえ使用寿命によりＬＥＤチップ１２５に電力損失が発生する場合であっても、透明電光板１１０にＮ×Ｎ（２＜Ｎ）に配列された複数のＬＥＤモジュール１２０のＬＥＤチップ１２５に均一な電圧が印加されて、ＬＥＤチップ１２５の明るさを均一に保つことができる。
【００３３】
受信制御モジュール１２３は、点滅制御信号を無線で受信して、点滅制御信号に基づいてＬＥＤチップ１２５の点滅を制御する。
【００３４】
ＬＥＤチップ１２５は、電源が供給されるときに発光する。ＬＥＤチップ１２５は、点滅制御信号に基づいて点滅しながら、透明電光板１１０において実現されるイメージのうちのいずれか一つのピクセルをなす。
【００３５】
ＬＥＤチップ１２５は、ＲＥＤチップ１２５ａ、ＧＲＥＥＮチップ１２５ｂ、又はＢＬＵＥチップ１２５ｃのうちの少なくともいずれか一つであることが好ましい。ＲはＲＥＤの略字であり、ＧはＧＲＥＥＮの略字であり、ＢはＢＬＵＥの略字である。本実施形態は、ＬＥＤチップ１２５がＲＥＤチップ１２５ａ、ＧＲＥＥＮチップ１２５ｂ及びＢＬＵＥチップ１２５ｃからなることを想定して説明する。
【００３６】
ＬＥＤチップ１２５は、電源が供給された状態で、点滅制御信号に基づいてＲＥＤチップ１２５ａ、ＧＲＥＥＮチップ１２５ｂ、ＢＬＵＥチップ１２５ｃのそれぞれのＯＮ／ＯＦＦが制御されてＲ／Ｇ／Ｂ色相又はＲ／Ｇ／Ｂの混合色相を実現することができる。
【００３７】
以下では、上述したＬＥＤモジュール１２０が取り付けられた透明電光板１１０について説明する。
【００３８】
図２に示すように、複数のＬＥＤモジュール１２０は、所定のピッチ間隔で離間してマトリックス状に配列される。複数のＬＥＤモジュール１２０は、第１の電源ライン１３１及び第２の電源ライン１３２に接続される。第１の電源ライン１３１及び第２の電源ライン１３２は、複数の透明電極と接続されるように、透明電光板１１０にパターニングされてもよい。
【００３９】
ＬＥＤモジュール１２０には、正極及び負極が設けられる。第１の電源ライン１３１は、負極を接続する配線ラインであり、第２の電源ライン１３２は、正極を接続する配線ラインである。
【００４０】
第１の電源ライン１３１は、複数のＬＥＤモジュール１２０の横方向に透明電光板１１０に設けられる。第１の電源ライン１３１は、同じ行において一列に並べられた複数のＬＥＤモジュール１２０の負極を電気的に接続する。
【００４１】
第２の電源ライン１３２は、複数のＬＥＤモジュール１２０の縦方向に透明電光板１１０に設けられる。第２の電源ライン１３２は、同じ列において一列に並べられた複数のＬＥＤモジュール１２０の正極を電気的に接続する。
【００４２】
本実施形態において、上述したようなＬＥＤモジュール１２０の構造により、透明電光板１１０からＬＥＤモジュール１２０へと電源を供給する第１の電源ライン１３１及び第２の電源ライン１３２のみ存在し、ＬＥＤモジュール１２０への点滅制御信号の印加を行う配線ラインが排除される。
【００４３】
本発明は、受信制御モジュール１２３を用いて無線で点滅制御信号を受信してＬＥＤチップ１２５の点滅が制御されることにより、従来の技術と比較して、ＬＥＤチップ１２５をなすＲＥＤチップ１２５ａ、ＧＲＥＥＮチップ１２５ｂ及びＢＬＵＥチップ１２５ｃにそれぞれ接続される複雑な配線ラインが除去され、その結果、透明電光板１１０におけるＬＥＤモジュール１２０同士のピッチ間隔を狭めることができる。これにより、本発明は、従来と同じ規格を有する透明電光板１１０に、より多くのＬＥＤモジュール１２０を設けて透明電光板１１０の全体の解像度を高めることができる。
【００４４】
また、本発明は、従来の技術と比較して、ＬＥＤチップ１２５をなすＲＥＤチップ１２５ａ、ＧＲＥＥＮチップ１２５ｂ及びＢＬＵＥチップ１２５ｃにそれぞれ接続される複雑な配線ラインが除去されることにより、複雑な配線構造による点滅制御信号の干渉を解消することができる。
【００４５】
以下では、送信制御部１５０について説明する。
【００４６】
送信制御部１５０は、外部からの映像信号を入力されて、映像信号を点滅制御信号に変換して、受信制御モジュール１２３に点滅制御信号を無線送信する。
【００４７】
図４に示すように、送信制御部１５０は、透明電光板１１０を複数の単位区域に区分けして、単位区域別に点滅制御信号を個別的に送信してもよい。
【００４８】
送信制御部１５０は、複数の送信モジュール１５０Ａ、１５０Ｂ、１５０Ｃ、１５０Ｄ、１５０Ｅ、１５０Ｆ及びメインボード１５１を備える。メインボード１５１は、パソコン１６０から入力された映像信号を点滅制御信号に変換する。
【００４９】
複数の送信モジュール１５０Ａ、１５０Ｂ、１５０Ｃ、１５０Ｄ、１５０Ｅ、１５０Ｆは、点滅制御信号を受信制御モジュール１２３に無線送信する。複数の送信モジュール１５０Ａ、１５０Ｂ、１５０Ｃ、１５０Ｄ、１５０Ｅ、１５０Ｆは、複数の単位区域１１０Ａ、１１０Ｂ、１１０Ｃ、１１０Ｄ、１１０Ｅ、１１０Ｆに区分けされた透明電光板１１０であって、単位区域別に点滅制御信号をＬＥＤモジュール１２０に送信する。単位区域内において、複数のＬＥＤモジュール１２０は、Ｎ×Ｎ（ここで、２＜Ｎ）に配列される。
【００５０】
複数の送信モジュール１５０Ａ、１５０Ｂ、１５０Ｃ、１５０Ｄ、１５０Ｅ、１５０Ｆは、メインボード１５１から当該点滅制御信号を送信する場合には、複数の単位区域に区分けされた透明電光板１１０のそれぞれの単位区域に個別的に分割された点滅制御信号を送信する。
【００５１】
説明の便宜のために、複数の単位区域が第１の単位区域１１０Ａ乃至第６の単位区域１１０Ｆに区分けされるとき、複数の送信モジュールは、第１の送信モジュール１５０Ａ乃至第６の送信モジュール１５０Ｆに区分けされる。
【００５２】
第１の送信モジュール１５０Ａは、メインボード１５１で区分けされた第１の単位区域１１０Ａに相当する点滅制御信号を第１の単位区域１１０Ａ内のＬＥＤモジュール１２０に送信する。第２の送信モジュール１５０Ｂは、メインボード１５１で区分けされた第２の単位区域１１０Ｂに相当する点滅制御信号を第２の単位区域１１０Ｂ内のＬＥＤモジュール１２０に送信する。
【００５３】
第３の送信モジュール１５０Ｃ乃至第６の送信モジュール１５０Ｆもまた、第１の送信モジュール１５０Ａ及び第２の送信モジュール１５０Ｂと同じ方式で、第３の単位区域１１０Ｃ乃至第６の単位区域１１０Ｆに点滅制御信号を個別的に送信する。
【００５４】
これにより、本発明は、単位区域別にＬＥＤモジュール１２０が送信モジュールと個別的に無線通信されながら点滅制御信号を受信して、早い応答速度にて点滅制御信号による映像をＬＥＤ透明電光板１１０にディスプレイすることができる。
【００５５】
上述した本発明は、上述した実施形態及び添付図面により何等限定されるものではなく、本発明の技術的思想を逸脱しない範囲内において種々の置換、変形及び変更が行えるということは本発明が属する技術分野において通常の知識を有する者にとって自明である。
【符号の説明】
【００５６】
１００  無線制御型透明電光装置
１１０  透明電光板
１２０  ＬＥＤモジュール
１２１  ＤＣ−ＤＣコンバーター
１２３  受信制御モジュール
１２５  ＬＥＤチップ
１３１  第１の電源ライン
１３２  第２の電源ライン
１５０  送信制御部
【図１】
2019028423.tif 000003
【図２】
2019028423.tif 000004
【図３】
2019028423.tif 000005
【図４】
2019028423.tif 000006